(57)【要約】【課題】安価で簡易な手段により、強風などによる取付杆部の杆部の上下方向の振れを抑えることができる軒樋支持具を提供する。【解決手段】軒樋支持具１は、軒樋２を支持する樋支持具本体部１０と、その後方で軒先に固定される取付杆部２０とを備えている。取付杆部２０は、軒先２に固定される取付部２２と、該取付部２２より軒先の前方に延びた杆部２１とを有し、該杆部２１が樋支持具本体部１０を介して軒樋２を支持するように形成されており、取付杆部２０の杆部２１の上下方向の振れを防ぐ振れ防止部３１と、軒先２に固定される固定部３２とを備えた補強具をさらに有して構成されている。【選択図】図１
2015101909.tif 000002
【特許請求の範囲】
【請求項１】
軒樋を支持する樋支持具本体部と、その後方で軒先に固定される取付杆部とを備えた軒樋支持具において、
前記取付杆部は、前記軒先に固定される取付部と、該取付部より前記軒先の前方に延びた杆部とを有し、該杆部が前記樋支持具本体部を介して前記軒樋を支持するように形成されており、
前記取付杆部の杆部の上下方向の振れを防ぐ振れ防止部と、前記軒先に固定される固定部とを備えた補強具をさらに有して構成されたことを特徴とする軒樋支持具。
【請求項２】
請求項１において、
前記補強具は、凹溝部と、該凹溝部の溝開口の縁部より両側に延びた翼片部とを有した形状とされ、前記凹溝部で前記振れ防止部を構成し、前記翼片部で前記固定部を構成しており、
前記補強具が、前記凹溝部の溝方向の一端部を前記杆部の上下面の一方に近接させるように、上下方向に配されることを特徴とする軒樋支持具。
【請求項３】
請求項１において、
前記補強具は、帯状の折曲板体よりなり、前記振れ防止部が前記折曲板体の長手方向の一端側に形成されている一方、前記固定部が長手方向の他端側に形成されており、
前記振れ防止部は掛部を有しており、該掛部に前記杆部を掛止めさせて、前記杆部の上下方向の振れを防止する構成としたことを特徴とする軒樋支持具。
【請求項４】
請求項３において、
前記掛部はスリットを有した形状とされ、該スリットに前記杆部を差し入れて、前記杆部の上下方向への振れを防止する構成としたことを特徴とする軒樋支持具。
【請求項５】
請求項１〜４のいずれか１項において、
前記取付部を前記軒先に固定する取付基板をさらに備えた構成とされ、
前記取付基板は、凹部と、該凹部の両側より延びた側片とを有した形状とされ、前記凹部を前記取付部に被せるようにして前記側片を前記軒先に取り付けて、前記取付杆部を固定する構造となっており、
前記補強具の前記固定部が、前記側片を介して前記軒先に固定されることを特徴とする軒樋支持具。
【請求項６】
請求項１〜５に記載された軒樋支持具に用いられる補強具。
【発明の詳細な説明】
【技術分野】
【０００１】
本発明は、軒樋を支持する樋支持具本体部と、その後方で軒先に固定される取付杆部とを備えた軒樋支持具に関する。
【背景技術】
【０００２】
軒樋支持具は、軒樋を軒先の前方位置で支持するものであるから、外壁などの軒先より前方に向かって突き出るように設ける必要があり、そのため通例では、樋支持具本体部および取付杆部のいずれも帯板形状に形成されている。
【０００３】
また、特許文献１に示した、軒先からの軒樋の出具合位置の調節を可能とした軒樋支持具は、樋支持具本体部と取付杆部とが分離構成され、相互にスライド移動できる構成となっており、そのものでは、取付杆部の杆部が軒先より突き出るような直線的な帯板形状となっている（特許文献１参照）。
【先行技術文献】
【特許文献】
【０００４】
【特許文献１】特開２０１３−９１９５０号公報
【発明の概要】
【発明が解決しようとする課題】
【０００５】
しかしながら、上記のように杆部を帯板形状のもので形成した場合、特に杆部の長さを利用してより前方位置で軒樋を支持するようにした場合、前方等からの強い風により杆部が上下方向に大きく振れることがあった。
【０００６】
特に台風などで発生する強風を受けると、杆部の基部近傍（壁面の近傍）に想定外の負担がかかるため、その部位で折れや曲がりが起こるおそれもある。
【０００７】
杆部にその長手方向に沿ったリブを設ければ強度を高めることができるが、コスト高となる。また、すでに生産されている軒樋支持具を改変することなく利用したいとの要望もある。
【０００８】
本発明は、このような事情を考慮して提案されたもので、その目的は、安価で簡易な手段により、強風などによる取付杆部の杆部の上下方向の振れを抑えることができる軒樋支持具を提供することにある。
【課題を解決するための手段】
【０００９】
上記目的を達成するために、請求項１に記載の軒樋支持具は、軒樋を支持する樋支持具本体部と、その後方で軒先に固定される取付杆部とを備えた軒樋支持具において、取付杆部は、軒先に固定される取付部と、該取付部より軒先の前方に延びた杆部とを有し、該杆部が樋支持具本体部を介して軒樋を支持するように形成されており、取付杆部の杆部の上下方向の振れを防ぐ振れ防止部と、軒先に固定される固定部とを備えた補強具をさらに有して構成されたことを特徴とする。
【００１０】
請求項２に記載の軒樋支持具は、補強具は、凹溝部と、該凹溝部の溝開口の縁部より両側に延びた翼片部とを有した形状とされ、凹溝部で振れ防止部を構成し、翼片部で固定部を構成しており、補強具が、凹溝部の溝方向の一端部を前記杆部の上下面の一方に近接させるように、上下方向に配されることを特徴とする。
【００１１】
請求項３に記載の軒樋支持具は、補強具は、帯状の折曲板体よりなり、振れ防止部が折曲板体の長手方向の一端側に形成されている一方、固定部が長手方向の他端側に形成されており、振れ防止部は掛部を有しており、杆部を該掛部に掛止めさせて、杆部の上下方向の振れを防止する構成としたことを特徴とする。
【００１２】
請求項４に記載の軒樋支持具は、掛部はスリットを有した形状とされ、該スリットに杆部を差し入れて、杆部の上下方向への振れを防止する構成としたことを特徴とする。
【００１３】
請求項５に記載の軒樋支持具は、取付部を前記軒先に固定する取付基板をさらに備えた構成とされ、取付基板は、凹部と、該凹部の両側より延びた側片とを有した形状とされ、凹部を取付部に被せるようにして側片を軒先に取り付けて、取付杆部を固定する構造となっており、補強具の固定部が、側片を介して軒先に固定されることを特徴とする。
【００１４】
請求項６に記載の補強具は、請求項１〜５に記載された軒樋支持具に用いられる。
【発明の効果】
【００１５】
請求項１に記載の軒樋支持具によれば、上述の構成となっているため、強風を受けた場合などに、取付杆部の杆部の上下方向の振れを極力抑えることができ、その結果、取付杆部が破損することを防止することができる。
【００１６】
請求項２に記載の軒樋支持具によれば、補強具の凹溝部の溝方向の一端部を杆部の上下面の一方に近接配置する構成となっているため、杆部のすくなくとも一方への振れを防止することができる。凹溝部を上下方向に配する構成であるため、強固な振れ防止部を構成することができる。また、板体を折曲形成して補強具を成形したものでは、簡易かつ低コストで生産できる。
【００１７】
請求項３に記載の軒樋支持具によれば、杆部を補強具の掛部に掛止めさせる構成となっているため、杆部のすくなくとも一方への振れをほぼ確実に防止することができる。
【００１８】
請求項４に記載の軒樋支持具によれば、補強具に形成したスリットに杆部を差し入れて掛止めする構成となっているため、杆部の上下両方向への振れをほぼ確実に防止することができる。
【００１９】
請求項５に記載の軒樋支持具によれば、補強具の固定部が、取付杆部の取付部を軒先に固定するための取付基板を介して軒先に取り付けられるようになっているため、補強具を取り付けるための固定部材を少なくでき、また簡易、迅速に取り付けることもできる。
【００２０】
請求項６に記載の補強具によれば、上述の構成となっているため、取付杆部の杆部の上下方向の振れを極力抑えることができ、そのため、取付杆部が破損することを抑止できる。さらに、補強具が別体であるため、従来の軒樋支持具に付加して利用できる。
【図面の簡単な説明】
【００２１】
【図１】本発明の一実施形態に係る軒樋支持具の分解斜視図である。
【図２】図１に示した軒樋支持具の取付状態を示す一部断面とした側面図である。
【図３】図１に示した軒樋支持具に用いられる補強具の説明図である。（ａ）は補強具の正面図、（ｂ）は同平面図である。
【図４】（ａ）は本発明の他の実施形態に係る軒樋支持具の分解斜視図である。（ｂ）は補強具の他例の斜視図である。
【図５】図４（ａ）に示した補強具の説明図である。（ａ）は補強具の正面図、（ｂ）は同側面図、（ｃ）は同平面図である。
【図６】（ａ）、（ｂ）は補強具の他の取付例を示す一部断面とした側面図である。
【発明を実施するための形態】
【００２２】
以下に、本発明の実施形態について、添付図面を参照しながら説明する。
【００２３】
以下に示す種々の軒樋支持具１、１（図１〜図６参照）は、軒樋２を支持する樋支持具本体部１０と、その後方で軒先３に固定される取付杆部２０とを備えた軒樋支持具１である。取付杆部２０は、軒先３に固定される取付部２２と、取付部２２より軒先３の前方に延びた杆部２１とを有し、杆部２１が樋支持具本体部１０を介して軒樋２を支持するように形成されている。この軒樋支持具１は、取付杆部２０の杆部２１の上下方向の振れを防ぐ振れ防止部３１と、軒先３に固定される固定部３２とを備えた補強具３０をさらに有している。
【００２４】
このような補強具３０は、振れ防止部３１を取付杆部２０の杆部２１の上下の一方面あるいは両面に近接させて、振れが大きくならないように、主として杆部２１の後部（基部近傍）を補強するものである。
【００２５】
まず、本発明の一実施形態に係る軒樋支持具について、図１〜図３を参照して説明する。
【００２６】
本実施形態の軒樋支持具１は、軒樋２を吊り支持する軒樋支持具である。この軒樋支持具１は、軒樋２の軒先３からの位置を調整（出具合調節）できるように、樋支持具本体部１０と取付杆部２０とが分離形成された構成となっており、相互に前後方向の適宜な位置で固定できるようになっている。
【００２７】
樋支持具本体部１０は、板状体を加工して形成されており、前端に軒樋前耳保持部１１を、後端に軒樋後耳保持部１２を有した形状とされ、それらの間の板状本体部１３には、取付杆部２０に対して前後方向にスライド調節できるようにするために、長手方向に延びた長孔１４を有している。なお、図例の軒樋後耳保持部１２は、別体の薄板よりなるバネ性を有した保持片１２ａを後付けして形成されている。そして、図２に示すように、軒樋前耳保持部１１に前耳２ａが保持され、軒樋後耳保持部１２に後耳２ｂが保持されるようにして、軒樋２が吊り支持されるようになっている。
【００２８】
また、板状本体部１３における長孔１４の幅方向の両側部には、長孔１４のほぼ全長にわたり連続凹凸１５が等ピッチで連続して形成してある。この連続凹凸１５の凹部は、後述する取付杆部２０の連結部２１ａの裏面に設けた係止突部（不図示）を嵌入係止させるための係止部を構成する。
【００２９】
一方、取付杆部２０は帯板体を折曲形成してなり、軒先３に固定される取付部２２と、取付部２２の上端より軒先３の前方に延びた杆部２１とを有して構成されている。
【００３０】
杆部２１は平板状に形成され、その前端には段落ち形成された連結部２１ａを備えている。連結部２１ａには軸孔２１ｂが開設され、下面には樋支持具本体部１０の連続凹凸のいずれか１つの凹部に嵌入する係止突部（不図示）が形成してある。
【００３１】
取付杆部２０の取付部２２は外壁などの軒先３に壁面に沿って取り付けできる形状とされる。また、取付部２２の前面側には、取付杆部２０を軒先３に固定するための取付基板４０が取付部２２を覆うように配される。
【００３２】
この取付基板４０は、凹部４１と、凹部４１の両側より延びた側片４２とを有した形状とされ、凹部４１を取付部２２に被せるようにして側片４２を軒先３に取り付けることで、取付杆部２０を固定できるようになっている。それぞれの側片４２にはビス止め用のビス孔４２ａ、釘止め用の釘孔４２ｂが開設されている。取付基板４０は、図１に示すように、施工前において取付杆部２０の取付部２２にリベット止めしておけば現場での作業を迅速に行える。
【００３３】
以上に示した樋支持具本体部１０と取付杆部２０とは、図１に示すように、長孔１４の長手方向の適宜な位置で、長孔１４および軸孔２１ｂにボルト４を通して蝶ナット５で螺合することで軸連結される。なお、図１の符号６はスプリングワッシャである。
【００３４】
この軒樋支持具１は、上述したように、杆部２１の上下方向の振れを防ぐための補強具３０をさらに備えている。
【００３５】
補強具３０は、図１および図３に示すように、矩形の板体を折曲形成して構成されており、上下方向に沿って延びた凹溝部３１Ａと、凹溝部３１Ａの溝開口の縁部より両側に延びた翼片部３２Ａ、３２Ａとを有した形状とされる。この凹溝部３１Ａが杆部２１の振れを防止する振れ防止部３１を構成し、翼片部３２Ａ、３２Ａが補強具３０自身を軒先３に固定するための固定部３２を構成する。翼片部３２Ａには、ビス止め用のビス孔３２ａ、釘止め用の釘孔３２ｂが開設されている。これらの孔は、取付基板４０の各孔と位置調整可能なように長孔となっている。
【００３６】
補強具３０は、取付杆部２０を軒先３に固定した取付基板４０に対し、前方より被せるように取り付けできるような形状となっている。すなわち、図３（ｂ）の平面図に示すように、凹溝部３１Ａは横断面がＶ字形状の溝とされ、その溝開口の幅寸法は取付基板４０の凹部４１の外側面の幅寸法よりもやや大とされ、翼片部３２Ａの幅寸法は取付基板４０の側片４２の幅寸法とほぼ同一とされる。つまり、補強具３０を取付基板４０に取り付けた状態では、翼片部３２Ａと側片４２とは両方の各孔が合致するように重合している。なお、凹溝部３１Ａは横断面がＶ字形状のものに限られず、Ｕ字、コ字などの種々の形状であってもよいが、Ｖ字のものが省材料に寄与できるため好適である。
【００３７】
このような補強具３０は、図２に示すように、凹溝部３１Ａの上端部が取付杆部２０の杆部２１の下面に近接するように取り付けられ、その凹溝部３１Ａの上端部が杆部２１が下方へ揺れ動いた際のストッパとして作用する。ここで、近接とは、杆部２１が上下に振れて接触する程度にわずかな距離（隙間）が離間した状態に凹溝部３１Ａが配されることだけではなく、杆部２１に接触した状態に凹溝部３１Ａが配されることを含む概念とする。
【００３８】
本軒樋支持具１は、このように、杆部２１の上下方向の振れを防ぐ振れ防止部３１を有した補強具３０を備えた構成であるため、強風を受けた場合などに、取付杆部２０の杆部２１の上下方向の振れが大きくなることを抑止でき、振れにより取付杆部２０が破損することを防止することができる。特に、出具合を大きくした場合、つまり樋支持具本体部１０を取付杆部２０に対してより長く延びた位置に連結した場合には振れが大きくなる可能性があり、効果的である。
【００３９】
また、補強具３０は杆部２１の下方において凹溝部３１Ａを上下方向に配するようにした構成であるため、杆部２１の激しい揺れを凹溝部３１Ａの上端部の溝状端面で受け止めることができ、強固な振れ防止対策となり得る。さらに、補強具３０は板体を折曲形成してなるため、簡易に成形でき、生産コストを抑えることもできる。
【００４０】
また、この補強具３０は取付基板４０に孔位置を合わせて取り付けできるようにしてあるため、取付基板４０を固定するためのビスや釘などの固定具を用いて取付基板４０とともに固定することができる。そのため、専用の固定具を準備しなくてもよく、部品点数を少なくすることができる。補強具３０は取付基板４０と孔位置を合わせて固定具で固定するようにしてもよいし、先に軒先３に仮止めした取付基板４０に対して固定するようにしてもよく、施工性もよい。
【００４１】
なお、補強具３０は取付基板４０を介さずに直接軒先３に固定してもよく、たとえば図２において２点鎖線で示したように、杆部２１の上方に取り付けて、杆部２１の上方への振れを抑止するようにしてもよい。また、２つの補強具３０、３０を上下に取り付けるようにしてもよい。
【００４２】
ついで、本発明の他の実施形態に係る軒樋支持具ついて、図４および図５を参照して説明する。
【００４３】
本実施形態の軒樋支持具１は、図１のものと同様、樋支持具本体部１０と取付杆部２０とが分離構成され、樋支持具本体部１０、取付杆部２０および取付基板４０のいずれも図１のものと同じ形状、構造ものが用いられて構成されている。これらについては、同一の符号を付して、その説明は省略する。
【００４４】
本軒樋支持具１は、図４（ａ）に示すように、帯状の折曲板体よりなる補強具３０を有している。この補強具３０は、帯板を２箇所で折曲してなり、その長手方向の一端側に形成された振れ防止部３１（一端部３１Ｂ）と、他端側に形成された固定部３２（他端部３２Ｂ）と、それらをつなぐ中間部３３とを備えている。一端部３１Ｂと他端部３２Ｂとはほぼ平行に形成され、中間部３３は一端部３１Ｂの下端から他端部３２Ｂの上端部に向けて下降傾斜している。
【００４５】
一端部３１Ｂは、図４（ａ）および図５に示すように、正面視で左に突出した、取付杆部２０の杆部２１を掛止めするための掛部３１ａを有しており、この掛部３１ａの左側端には杆部２１を差し入れて上下より挟みこむためのスリット３１ｂが形成されている。このスリット３１ｂの幅寸法は取付杆部２０の杆部２１の厚さ寸法よりやや大とされる。また、スリット３１ｂの深さ寸法（掛部３１ａの横幅寸法）は、図例のものでは杆部２１の幅寸法よりも小さいが、スリット３１ｂは杆部２１の全体が収まるような深さ寸法であってもよい。一方、他端部３２Ｂには、図４（ａ）および図５に示すように、ビス孔３２ａと釘孔３２ｂが開設されている。
【００４６】
この補強具３０は、図４（ａ）に示すように、他端部３２Ｂを取付基板４０の一方の側片４２に重ねて固定し、一端部３１Ｂの掛部３１ａで杆部２１を掛止めするように取り付けられる。
【００４７】
本軒樋支持具１も、このように、杆部２１の上下方向の振れを防ぐ振れ防止部３１を有した補強具３０を備えた構成であるため、強風を受けた場合などに、取付杆部２０の杆部２１の上下方向の振れが大きくなることを抑止でき、振れによって取付杆部２０が破損することを防止することができる。特に、本補強具３０は掛部３１ａで杆部２１の上下両方向の振れを防止する構造であるため、いずれの方向へも振れは発生しにくく、取付杆部２０を長持ちさせることができる。また、補強具３０は板体を折曲形成してなるため、簡易に成形でき、生産コストを抑えることができる。
【００４８】
図４（ａ）および図５に示した補強具３０は、スリット３１ｂ付きの掛部３１ａで取付杆部２０の杆部２１を上下より挟んで上下両方向への振れを防止する構造となっているが、図４（ｂ）に示した補強具３０のように、下方に切欠きを有した掛部３１ａで杆部２１の上面側を掛止めして上方への振れを防止する構造としてもよい。
【００４９】
以上に示した２種の軒樋支持具１は、取付杆部２０として、杆部２１が取付部２２の上端から突出したものを用いたが、杆部２１が取付部２２の下端から突出したものを用いてもよい。そのようなものでも上記２種の補強具３０を付加して構成することができる。
【００５０】
また、これら２種の軒樋支持具１は、樋支持具本体部１０と取付杆部２０とが分離形成されているが、一体形成されたものであってもよい。一体形成されたものでも、上述したような補強具３０を用いて取付杆部２０の杆部２１の振れを防止して取付杆部２０を補強することができる。
【００５１】
また、上述した２種の補強具３０は受け式の軒樋支持具にも適用が可能である。図６（ａ）、（ｂ）はいずれも受け式の軒樋支持具の例であり、図６（ａ）は、図３に示した補強具３０を有した軒樋支持具の取付例の側面図であり、図６（ｂ）は、図５に示した補強具３０を有した軒樋支持具の取付例の側面図である。
【００５２】
図６（ａ）の軒樋支持具１は、角形樋を下方より受け支持する樋支持具本体部１０と、Ｌ字形状の取付杆部２０とを備えている。樋支持具本体部１０と取付杆部２０とは一体成形されている。取付杆部２０は杆部２１と取付部２２とを備えている。
【００５３】
この軒樋支持具１では補強具３０として図３に示したものが用いられ、凹溝部３１Ａの上端部が取付杆部２０の杆部２１の下面に近接するように取り付けられる。図６（ａ）に示すように、補強具３０は杆部２１の上面側に配してもよい。
【００５４】
図６（ｂ）の軒樋支持具１は、丸形樋を下方より受け支持する樋支持具本体部１０と、棒状の取付杆部２０とを備えている。樋支持具本体部１０と取付杆部２０とは分離成形されている。取付杆部２０は、樋支持具本体部１０の湾曲部の底部に固着された連結部２１ａを有し、その連結部２１ａの下端よりやや上方に傾斜して延出した杆部２１と、尖端２２ａを有した取付部２２とを一体に備えている。この杆部２１は軒先の勾配に応じて、折曲部を曲げ調節することで傾斜角度を設定することができる。
【００５５】
この軒樋支持具１では補強具３０として図５に示したものが用いられ、掛部３１ａに設けたスリット３１ｂで棒状の杆部２１を挟み込み、下方より取付杆部２０を補強する構成となっている。
【００５６】
このように、図３、図５に示した補強具３０は種々の軒樋支持具１に付加して適用させることができる。また、凹溝部３１Ａで振れ防止部３１を構成した補強具３０（図３参照）、掛部３１ａを備えた振れ防止部３１を有した補強具３０（図５参照）は、図３や図５、図４（ｂ）に示した形状のものに限られず、他の形状であってもよい。
【符号の説明】
【００５７】
１        軒樋支持具
２        軒樋
３        軒先
１０      樋支持具本体部
１１      軒樋前耳保持部
１２      軒樋後耳保持部
１３      板状本体部
１４      長孔
１５      連続凹凸
２０      取付杆部
２１      杆部
２２      取付部
３０      補強具
３１      振れ防止部
３１Ａ    凹溝部
３１Ｂ    一端部
３１ａ    掛部
３１ｂ    スリット
３２      固定部
３２Ａ    翼片部
３２Ｂ    他端部
４０      取付基板
４１      凹部
４２      側片
【図１】
2015101909.tif 000003
【図２】
2015101909.tif 000004
【図３】
2015101909.tif 000005
【図４】
2015101909.tif 000006
【図５】
2015101909.tif 000007
【図６】
2015101909.tif 000008
【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
軒樋を支持する樋支持具本体部と、その後方で軒先に固定される取付杆部とを備えた軒樋支持具において、
前記取付杆部は、前記軒先に固定される取付部と、該取付部より前記軒先の前方に延びた杆部とを有し、該杆部が前記樋支持具本体部を介して前記軒樋を支持するように形成されており、
前記取付杆部の杆部の上下方向の振れを防ぐ振れ防止部と、前記軒先に固定される固定部とを備えた補強具をさらに有して構成され、該補強具は、凹溝部と、該凹溝部の溝開口の縁部より両側に延びた翼片部とを有した形状とされ、前記凹溝部で前記振れ防止部を構成し、前記翼片部で前記固定部を構成しており、
前記補強具が、前記凹溝部の溝方向の一端部を前記杆部の上下面の一方に近接させるように、上下方向に配されることを特徴とする軒樋支持具。
【請求項２】
請求項１において、
前記取付部を前記軒先に固定する取付基板をさらに備えた構成とされ、
前記取付基板は、凹部と、該凹部の両側より延びた側片とを有した形状とされ、前記凹部を前記取付部に被せるようにして前記側片を前記軒先に取り付けて、前記取付杆部を固定する構造となっており、
前記補強具の前記固定部が、前記側片を介して前記軒先に固定されることを特徴とする軒樋支持具。
【請求項３】
請求項１または２に記載された軒樋支持具に用いられる補強具。
【手続補正２】
【補正対象書類名】明細書
【補正対象項目名】全文
【補正方法】変更
【補正の内容】
【発明の詳細な説明】
【技術分野】
【０００１】
本発明は、軒樋を支持する樋支持具本体部と、その後方で軒先に固定される取付杆部とを備えた軒樋支持具および補強具に関する。
【背景技術】
【０００２】
軒樋支持具は、軒樋を軒先の前方位置で支持するものであるから、外壁などの軒先より前方に向かって突き出るように設ける必要があり、そのため通例では、樋支持具本体部および取付杆部のいずれも帯板形状に形成されている。
【０００３】
また、特許文献１に示した、軒先からの軒樋の出具合位置の調節を可能とした軒樋支持具は、樋支持具本体部と取付杆部とが分離構成され、相互にスライド移動できる構成となっており、そのものでは、取付杆部の杆部が軒先より突き出るような直線的な帯板形状となっている（特許文献１参照）。
【先行技術文献】
【特許文献】
【０００４】
【特許文献１】特開２０１３−９１９５０号公報
【発明の概要】
【発明が解決しようとする課題】
【０００５】
しかしながら、上記のように杆部を帯板形状のもので形成した場合、特に杆部の長さを利用してより前方位置で軒樋を支持するようにした場合、前方等からの強い風により杆部が上下方向に大きく振れることがあった。
【０００６】
特に台風などで発生する強風を受けると、杆部の基部近傍（壁面の近傍）に想定外の負担がかかるため、その部位で折れや曲がりが起こるおそれもある。
【０００７】
杆部にその長手方向に沿ったリブを設ければ強度を高めることができるが、コスト高となる。また、すでに生産されている軒樋支持具を改変することなく利用したいとの要望もある。
【０００８】
本発明は、このような事情を考慮して提案されたもので、その目的は、安価で簡易な手段により、強風などによる取付杆部の杆部の上下方向の振れを抑えることができる軒樋支持具および補強具を提供することにある。
【課題を解決するための手段】
【０００９】
上記目的を達成するために、請求項１に記載の軒樋支持具は、軒樋を支持する樋支持具本体部と、その後方で軒先に固定される取付杆部とを備えた軒樋支持具において、取付杆部は、軒先に固定される取付部と、該取付部より軒先の前方に延びた杆部とを有し、該杆部が樋支持具本体部を介して軒樋を支持するように形成されており、取付杆部の杆部の上下方向の振れを防ぐ振れ防止部と、軒先に固定される固定部とを備えた補強具をさらに有して構成され、補強具は、凹溝部と、該凹溝部の溝開口の縁部より両側に延びた翼片部とを有した形状とされ、凹溝部で振れ防止部を構成し、翼片部で固定部を構成しており、補強具が、前記凹溝部の溝方向の一端部を前記杆部の上下面の一方に近接させるように、上下方向に配されることを特徴とする。
【００１０】
（削除）
【００１１】
（削除）
【００１２】
（削除）
【００１３】
請求項２に記載の軒樋支持具は、取付部を前記軒先に固定する取付基板をさらに備えた構成とされ、取付基板は、凹部と、該凹部の両側より延びた側片とを有した形状とされ、凹部を取付部に被せるようにして側片を軒先に取り付けて、取付杆部を固定する構造となっており、補強具の固定部が、側片を介して軒先に固定されることを特徴とする。
【００１４】
請求項３に記載の補強具は、請求項１に記載された軒樋支持具に用いられる補強具である。
【発明の効果】
【００１５】
請求項１に記載の軒樋支持具によれば、上述の構成となっているため、強風を受けた場合などに、取付杆部の杆部の上下方向の振れを極力抑えることができ、その結果、取付杆部が破損することを防止することができる。
【００１６】
また、補強具の凹溝部の溝方向の一端部を杆部の上下面の一方に近接配置する構成となっているため、杆部のすくなくとも一方への振れを防止することができる。凹溝部を上下方向に配する構成であるため、強固な振れ防止部を構成することができる。また、板体を折曲形成して補強具を成形したものでは、簡易かつ低コストで生産できる。
【００１７】
（削除）
【００１８】
（削除）
【００１９】
請求項２に記載の軒樋支持具によれば、補強具の固定部が、取付杆部の取付部を軒先に固定するための取付基板を介して軒先に取り付けられるようになっているため、補強具を取り付けるための固定部材を少なくでき、また簡易、迅速に取り付けることもできる。
【００２０】
請求項３に記載の補強具によれば、上述の構成となっているため、取付杆部の杆部の上下方向の振れを極力抑えることができ、そのため、取付杆部が破損することを抑止できる。さらに、補強具が別体であるため、従来の軒樋支持具に付加して利用できる。
【図面の簡単な説明】
【００２１】
【図１】本発明の一実施形態に係る軒樋支持具の分解斜視図である。
【図２】図１に示した軒樋支持具の取付状態を示す一部断面とした側面図である。
【図３】図１に示した軒樋支持具に用いられる補強具の説明図である。（ａ）は補強具の正面図、（ｂ）は同平面図である。
【図４】（ａ）は本発明の他の実施形態（参考例）に係る軒樋支持具の分解斜視図である。（ｂ）は補強具の他例の斜視図である。
【図５】図４（ａ）に示した補強具（参考例）の説明図である。（ａ）は補強具の正面図、（ｂ）は同側面図、（ｃ）は同平面図である。
【図６】（ａ）、（ｂ）は補強具の他の取付例を示す一部断面とした側面図である。
【発明を実施するための形態】
【００２２】
以下に、本発明の実施形態について、添付図面を参照しながら説明する。
【００２３】
以下に示す種々の軒樋支持具１、１（図１〜図６参照）は、軒樋２を支持する樋支持具本体部１０と、その後方で軒先３に固定される取付杆部２０とを備えた軒樋支持具１である。取付杆部２０は、軒先３に固定される取付部２２と、取付部２２より軒先３の前方に延びた杆部２１とを有し、杆部２１が樋支持具本体部１０を介して軒樋２を支持するように形成されている。この軒樋支持具１は、取付杆部２０の杆部２１の上下方向の振れを防ぐ振れ防止部３１と、軒先３に固定される固定部３２とを備えた補強具３０をさらに有している。
【００２４】
このような補強具３０は、振れ防止部３１を取付杆部２０の杆部２１の上下の一方面あるいは両面に近接させて、振れが大きくならないように、主として杆部２１の後部（基部近傍）を補強するものである。
【００２５】
まず、本発明の一実施形態に係る軒樋支持具について、図１〜図３を参照して説明する。
【００２６】
本実施形態の軒樋支持具１は、軒樋２を吊り支持する軒樋支持具である。この軒樋支持具１は、軒樋２の軒先３からの位置を調整（出具合調節）できるように、樋支持具本体部１０と取付杆部２０とが分離形成された構成となっており、相互に前後方向の適宜な位置で固定できるようになっている。
【００２７】
樋支持具本体部１０は、板状体を加工して形成されており、前端に軒樋前耳保持部１１を、後端に軒樋後耳保持部１２を有した形状とされ、それらの間の板状本体部１３には、取付杆部２０に対して前後方向にスライド調節できるようにするために、長手方向に延びた長孔１４を有している。なお、図例の軒樋後耳保持部１２は、別体の薄板よりなるバネ性を有した保持片１２ａを後付けして形成されている。そして、図２に示すように、軒樋前耳保持部１１に前耳２ａが保持され、軒樋後耳保持部１２に後耳２ｂが保持されるようにして、軒樋２が吊り支持されるようになっている。
【００２８】
また、板状本体部１３における長孔１４の幅方向の両側部には、長孔１４のほぼ全長にわたり連続凹凸１５が等ピッチで連続して形成してある。この連続凹凸１５の凹部は、後述する取付杆部２０の連結部２１ａの裏面に設けた係止突部（不図示）を嵌入係止させるための係止部を構成する。
【００２９】
一方、取付杆部２０は帯板体を折曲形成してなり、軒先３に固定される取付部２２と、取付部２２の上端より軒先３の前方に延びた杆部２１とを有して構成されている。
【００３０】
杆部２１は平板状に形成され、その前端には段落ち形成された連結部２１ａを備えている。連結部２１ａには軸孔２１ｂが開設され、下面には樋支持具本体部１０の連続凹凸のいずれか１つの凹部に嵌入する係止突部（不図示）が形成してある。
【００３１】
取付杆部２０の取付部２２は外壁などの軒先３に壁面に沿って取り付けできる形状とされる。また、取付部２２の前面側には、取付杆部２０を軒先３に固定するための取付基板４０が取付部２２を覆うように配される。
【００３２】
この取付基板４０は、凹部４１と、凹部４１の両側より延びた側片４２とを有した形状とされ、凹部４１を取付部２２に被せるようにして側片４２を軒先３に取り付けることで、取付杆部２０を固定できるようになっている。それぞれの側片４２にはビス止め用のビス孔４２ａ、釘止め用の釘孔４２ｂが開設されている。取付基板４０は、図１に示すように、施工前において取付杆部２０の取付部２２にリベット止めしておけば現場での作業を迅速に行える。
【００３３】
以上に示した樋支持具本体部１０と取付杆部２０とは、図１に示すように、長孔１４の長手方向の適宜な位置で、長孔１４および軸孔２１ｂにボルト４を通して蝶ナット５で螺合することで軸連結される。なお、図１の符号６はスプリングワッシャである。
【００３４】
この軒樋支持具１は、上述したように、杆部２１の上下方向の振れを防ぐための補強具３０をさらに備えている。
【００３５】
補強具３０は、図１および図３に示すように、矩形の板体を折曲形成して構成されており、上下方向に沿って延びた凹溝部３１Ａと、凹溝部３１Ａの溝開口の縁部より両側に延びた翼片部３２Ａ、３２Ａとを有した形状とされる。この凹溝部３１Ａが杆部２１の振れを防止する振れ防止部３１を構成し、翼片部３２Ａ、３２Ａが補強具３０自身を軒先３に固定するための固定部３２を構成する。翼片部３２Ａには、ビス止め用のビス孔３２ａ、釘止め用の釘孔３２ｂが開設されている。これらの孔は、取付基板４０の各孔と位置調整可能なように長孔となっている。
【００３６】
補強具３０は、取付杆部２０を軒先３に固定した取付基板４０に対し、前方より被せるように取り付けできるような形状となっている。すなわち、図３（ｂ）の平面図に示すように、凹溝部３１Ａは横断面がＶ字形状の溝とされ、その溝開口の幅寸法は取付基板４０の凹部４１の外側面の幅寸法よりもやや大とされ、翼片部３２Ａの幅寸法は取付基板４０の側片４２の幅寸法とほぼ同一とされる。つまり、補強具３０を取付基板４０に取り付けた状態では、翼片部３２Ａと側片４２とは両方の各孔が合致するように重合している。なお、凹溝部３１Ａは横断面がＶ字形状のものに限られず、Ｕ字、コ字などの種々の形状であってもよいが、Ｖ字のものが省材料に寄与できるため好適である。
【００３７】
このような補強具３０は、図２に示すように、凹溝部３１Ａの上端部が取付杆部２０の杆部２１の下面に近接するように取り付けられ、その凹溝部３１Ａの上端部が杆部２１が下方へ揺れ動いた際のストッパとして作用する。ここで、近接とは、杆部２１が上下に振れて接触する程度にわずかな距離（隙間）が離間した状態に凹溝部３１Ａが配されることだけではなく、杆部２１に接触した状態に凹溝部３１Ａが配されることを含む概念とする。
【００３８】
本軒樋支持具１は、このように、杆部２１の上下方向の振れを防ぐ振れ防止部３１を有した補強具３０を備えた構成であるため、強風を受けた場合などに、取付杆部２０の杆部２１の上下方向の振れが大きくなることを抑止でき、振れにより取付杆部２０が破損することを防止することができる。特に、出具合を大きくした場合、つまり樋支持具本体部１０を取付杆部２０に対してより長く延びた位置に連結した場合には振れが大きくなる可能性があり、効果的である。
【００３９】
また、補強具３０は杆部２１の下方において凹溝部３１Ａを上下方向に配するようにした構成であるため、杆部２１の激しい揺れを凹溝部３１Ａの上端部の溝状端面で受け止めることができ、強固な振れ防止対策となり得る。さらに、補強具３０は板体を折曲形成してなるため、簡易に成形でき、生産コストを抑えることもできる。
【００４０】
また、この補強具３０は取付基板４０に孔位置を合わせて取り付けできるようにしてあるため、取付基板４０を固定するためのビスや釘などの固定具を用いて取付基板４０とともに固定することができる。そのため、専用の固定具を準備しなくてもよく、部品点数を少なくすることができる。補強具３０は取付基板４０と孔位置を合わせて固定具で固定するようにしてもよいし、先に軒先３に仮止めした取付基板４０に対して固定するようにしてもよく、施工性もよい。
【００４１】
なお、補強具３０は取付基板４０を介さずに直接軒先３に固定してもよく、たとえば図２において２点鎖線で示したように、杆部２１の上方に取り付けて、杆部２１の上方への振れを抑止するようにしてもよい。また、２つの補強具３０、３０を上下に取り付けるようにしてもよい。
【００４２】
ついで、本発明の他の実施形態（参考例）に係る軒樋支持具ついて、図４および図５を参照して説明する。
【００４３】
本実施形態の軒樋支持具１は、図１のものと同様、樋支持具本体部１０と取付杆部２０とが分離構成され、樋支持具本体部１０、取付杆部２０および取付基板４０のいずれも図１のものと同じ形状、構造ものが用いられて構成されている。これらについては、同一の符号を付して、その説明は省略する。
【００４４】
本軒樋支持具１は、図４（ａ）に示すように、帯状の折曲板体よりなる補強具３０を有している。この補強具３０は、帯板を２箇所で折曲してなり、その長手方向の一端側に形成された振れ防止部３１（一端部３１Ｂ）と、他端側に形成された固定部３２（他端部３２Ｂ）と、それらをつなぐ中間部３３とを備えている。一端部３１Ｂと他端部３２Ｂとはほぼ平行に形成され、中間部３３は一端部３１Ｂの下端から他端部３２Ｂの上端部に向けて下降傾斜している。
【００４５】
一端部３１Ｂは、図４（ａ）および図５に示すように、正面視で左に突出した、取付杆部２０の杆部２１を掛止めするための掛部３１ａを有しており、この掛部３１ａの左側端には杆部２１を差し入れて上下より挟みこむためのスリット３１ｂが形成されている。このスリット３１ｂの幅寸法は取付杆部２０の杆部２１の厚さ寸法よりやや大とされる。また、スリット３１ｂの深さ寸法（掛部３１ａの横幅寸法）は、図例のものでは杆部２１の幅寸法よりも小さいが、スリット３１ｂは杆部２１の全体が収まるような深さ寸法であってもよい。一方、他端部３２Ｂには、図４（ａ）および図５に示すように、ビス孔３２ａと釘孔３２ｂが開設されている。
【００４６】
この補強具３０は、図４（ａ）に示すように、他端部３２Ｂを取付基板４０の一方の側片４２に重ねて固定し、一端部３１Ｂの掛部３１ａで杆部２１を掛止めするように取り付けられる。
【００４７】
本軒樋支持具１も、このように、杆部２１の上下方向の振れを防ぐ振れ防止部３１を有した補強具３０を備えた構成であるため、強風を受けた場合などに、取付杆部２０の杆部２１の上下方向の振れが大きくなることを抑止でき、振れによって取付杆部２０が破損することを防止することができる。特に、本補強具３０は掛部３１ａで杆部２１の上下両方向の振れを防止する構造であるため、いずれの方向へも振れは発生しにくく、取付杆部２０を長持ちさせることができる。また、補強具３０は板体を折曲形成してなるため、簡易に成形でき、生産コストを抑えることができる。
【００４８】
図４（ａ）および図５に示した補強具３０は、スリット３１ｂ付きの掛部３１ａで取付杆部２０の杆部２１を上下より挟んで上下両方向への振れを防止する構造となっているが、図４（ｂ）に示した補強具３０のように、下方に切欠きを有した掛部３１ａで杆部２１の上面側を掛止めして上方への振れを防止する構造としてもよい。
【００４９】
以上に示した２種の軒樋支持具１は、取付杆部２０として、杆部２１が取付部２２の上端から突出したものを用いたが、杆部２１が取付部２２の下端から突出したものを用いてもよい。そのようなものでも上記２種の補強具３０を付加して構成することができる。
【００５０】
また、これら２種の軒樋支持具１は、樋支持具本体部１０と取付杆部２０とが分離形成されているが、一体形成されたものであってもよい。一体形成されたものでも、上述したような補強具３０を用いて取付杆部２０の杆部２１の振れを防止して取付杆部２０を補強することができる。
【００５１】
また、上述した２種の補強具３０は受け式の軒樋支持具にも適用が可能である。図６（ａ）、（ｂ）はいずれも受け式の軒樋支持具の例であり、図６（ａ）は、図３に示した補強具３０を有した軒樋支持具の取付例の側面図であり、図６（ｂ）は、図５に参考例として示した補強具３０を有した軒樋支持具の取付例の側面図である。
【００５２】
図６（ａ）の軒樋支持具１は、角形樋を下方より受け支持する樋支持具本体部１０と、Ｌ字形状の取付杆部２０とを備えている。樋支持具本体部１０と取付杆部２０とは一体成形されている。取付杆部２０は杆部２１と取付部２２とを備えている。
【００５３】
この軒樋支持具１では補強具３０として図３に示したものが用いられ、凹溝部３１Ａの上端部が取付杆部２０の杆部２１の下面に近接するように取り付けられる。図６（ａ）に示すように、補強具３０は杆部２１の上面側に配してもよい。
【００５４】
図６（ｂ）の軒樋支持具１は、丸形樋を下方より受け支持する樋支持具本体部１０と、棒状の取付杆部２０とを備えている。樋支持具本体部１０と取付杆部２０とは分離成形されている。取付杆部２０は、樋支持具本体部１０の湾曲部の底部に固着された連結部２１ａを有し、その連結部２１ａの下端よりやや上方に傾斜して延出した杆部２１と、尖端２２ａを有した取付部２２とを一体に備えている。この杆部２１は軒先の勾配に応じて、折曲部を曲げ調節することで傾斜角度を設定することができる。
【００５５】
この軒樋支持具１では補強具３０として図５に示したものが用いられ、掛部３１ａに設けたスリット３１ｂで棒状の杆部２１を挟み込み、下方より取付杆部２０を補強する構成となっている。
【００５６】
このように、図３、図５に示した補強具３０は種々の軒樋支持具１に付加して適用させることができる。また、凹溝部３１Ａで振れ防止部３１を構成した補強具３０（図３参照）、掛部３１ａを備えた振れ防止部３１を有した補強具３０（図５参照）は、図３や図５、図４（ｂ）に示した形状のものに限られず、他の形状であってもよい。
【符号の説明】
【００５７】
１        軒樋支持具
２        軒樋
３        軒先
１０      樋支持具本体部
１１      軒樋前耳保持部
１２      軒樋後耳保持部
１３      板状本体部
１４      長孔
１５      連続凹凸
２０      取付杆部
２１      杆部
２２      取付部
３０      補強具
３１      振れ防止部
３１Ａ    凹溝部
３１Ｂ    一端部
３１ａ    掛部
３１ｂ    スリット
３２      固定部
３２Ａ    翼片部
３２Ｂ    他端部
４０      取付基板
４１      凹部
４２      側片
【手続補正３】
【補正対象書類名】図面
【補正対象項目名】図４
【補正方法】変更
【補正の内容】
【図４】
2015101909.tif 000009